(57)【要約】      （修正有）【課題】携帯用電子機器を安全かつ便利に収納および携帯できると同時に、それらに使用されるコードを管理することが可能な機構を提供する。【解決手段】携帯用電子機器１０１に使用するための装着機構は、第１表面および第２表面１１１を有するケース１１０を含み、第１表面および第２表面は、その間に携帯用電子機器を収容可能なスペース１０５を画定する。装着機構は、ケースの第２表面に装着されたクリップ１２０をさらに含む。クリップは、第２表面に隣接する本体、第２表面から離間し、かつ第２表面の方へ伸びる第１伸張部、第２表面から離間し、かつ第２表面の方へ伸びる第２伸張部を含む。第１伸張部は、ケースとクリップとの間に第１ポケットを形成し、また、第２伸張部は、ケースとクリップとの間に第２ポケットを形成する。【選択図】図１
2006341083.tif 000002
【特許請求の範囲】
【請求項１】
携帯用電子機器に使用するための装着機構において、前記装着機構は、
第１表面および第２表面を含むケースであって、前記第１表面および前記第２表面は、その間に前記携帯用電子機器を収容可能なスペースを画定する、ケースと、
前記ケースの前記第２表面に装着されたクリップと、
から構成され、前記クリップは、
前記第２表面に隣接する本体と、
前記第２表面から離間し、かつ、前記第２表面の方へ伸びる第１伸張部であって、それよって前記ケースと前記クリップとの間に第１ポケットを形成する、第１伸張部と、
前記第２表面から離間し、かつ、前記第２表面の方へ伸びる第２伸張部であって、それによって前記ケースと前記クリップとの間に第２ポケットを形成する、第２伸張部と、
を含むことを特徴とする装着機構。
【請求項２】
前記装着機構は、バッキング部材および前記バッキング部材から伸張する突出を含む取付部材をさらに含み、
前記クリップは柔軟であり、
前記クリップの前記本体は、第１セクション、第２セクション、前記第１セクションおよび前記第２セクションを接続する第３セクションを含み、
前記第１セクションは前記第２表面と同一平面に取り付けられ、
前記第１伸張部は前記第３セクションから伸張し、
前記第２伸張部は前記第１セクションから伸張し、
前記クリップの前記本体の前記第２セクションは内側周囲を含み、
前記内側周囲は、
前記取付部材の前記突出を収容することができる前記第２セクション内に第１開口を画定する第１部分、および、
前記第２セクション内に第２開口を画定する第２部分を含み、
前記第２開口は前記第１開口と連絡し、かつ、
前記第２開口は前記第１開口よりも狭い、  
ことを特徴とする請求項１記載の装着機構。
【請求項３】
前記本体は、第１セクション、第２セクション、ならびに、前記第１セクションおよび前記第２セクションを接続する第３セクションを含み、
前記第１セクションは前記第２表面に隣接し、
前記第２セクションは内側周囲を含み、前記内側周囲は、
前記第２セクション内に第１開口を画定する第１部分、および、
前記第２セクション内に第２開口を画定する第２部分を含み、
前記第２開口は前記第１開口と連絡し、かつ、
前記第２開口は前記第１開口よりも狭い、
ことを特徴とする請求項１記載の装着機構。
【請求項４】
前記第１セクションは、第１セグメントおよび第２セグメントを含み、
前記第１セグメントは、ほぼ直線かつ平坦であり、また、前記第２表面と同一平面に取り付けられ、
前記第２セグメントは、前記第１セグメントから前記第２セクションの方へ伸張する、
ことを特徴とする請求項２または３記載の装着機構。
【請求項５】
前記第２セグメントは、前記第２セクションと接触するために十分な長さであることを特徴とする請求項４記載の装着機構。
【請求項６】
前記ケースは、前記第２表面に装着されたパッチをさらに含み、
前記パッチは、前記クリップの前記第１セクションと前記クリップの前記第２セクションとの間にある、
ことを特徴とする請求項４または５記載の装着機構。
【請求項７】
前記パッチは、前記ケースの前記第２表面に縫い付けられることを特徴とする請求項６記載の装着機構。
【請求項８】
前記第１表面がのぞき窓を含むことを特徴とする請求項１、２、３、４、５、６、または７記載の装着機構。
【請求項９】
前記第１伸張部は、前記第２表面に接触するために十分な長さであることを特徴とする請求項１、２、３、４、５、６、７、または８記載の装着機構。
【請求項１０】
前記第２伸張部は、前記第２表面に接触するために十分な長さであることを特徴とする請求項１、２、３、４、５、６、７、８、または９記載の装着機構。
【請求項１１】
前記取付部材は、前記突出から伸びるロック部材をさらに含み、
前記第２開口は、前記ロック部材を収容可能であり、
前記ロック部材が前記第２開口内に位置するとき、前記クリップは前記突出に対して回転するのを妨げられる、
ことを特徴とする請求項２記載の装着機構。
【請求項１２】
前記バッキング部材はほぼ平坦であり、
前記バッキング部材は自己接着性を有する表面を含む、
ことを特徴とする請求項１１記載の装着機構。
【請求項１３】
前記クリップの前記第１セクションは、第１セグメントおよび第２セグメントを含み、
前記第２セグメントは、前記第１セグメントから前記第２セクションの方へ伸張し、
前記第２セグメントは、前記第２セクションに接触するために十分な長さである、
ことを特徴とする請求項１２記載の装着機構。
【請求項１４】
前記ケースは、前記第２表面と前記パッチとの間に縫い付けられたスペーサをさらに含むことを特徴とする請求項２、１１、１２、または１３記載の装着機構。
【請求項１５】
携帯用電子機器に使用するための装着機構を製造する方法において、前記方法は、
第１表面および第２表面を含むケースを提供する段階であって、
前記第１表面および前記第２表面は、その間に前記携帯用電子機器を収容することができるスペースを画定する、段階と、
本体、第１伸張部、および第２伸張部を含むクリップを前記ケースの前記第２表面に装着する段階であって、前記第１伸張部は前記本体から前記第２表面の方へ伸び、それによって前記ケースと前記クリップとの間に第１ポケットを形成し、また、前記第２伸張部は前記本体から前記第２表面の方へ伸び、それによって前記ケースと前記クリップとの間に第２ポケットを形成する、段階と、
から構成されることを特徴とする方法。
【請求項１６】
前記クリップを装着する段階は、前記ケースに前記クリップを縫い付ける段階を含むことを特徴とする請求項１５記載の方法。
【請求項１７】
パッチを提供する段階と、
スペーサを提供する段階と、
前記パッチと前記ケースとの間に前記クリップの一部分を配置する段階と、
前記ケースと前記パッチの一部分との間に前記スペーサを配置する段階と、
前記ケースに前記パッチを縫い付ける段階と、
をさらに含むことを特徴とする請求項１５または１６記載の方法。
【請求項１８】
前記パッチを前記ケースに縫い付ける段階は、前記パッチ、前記スペーサ、および前記ケースの前記第２表面を貫通するようにステッチする段階を含むことを特徴とする請求項１７記載の方法。
【発明の詳細な説明】
【技術分野】
【０００１】
本発明は、一般に電子機器の携帯に関し、より詳しくは、携帯用電子機器の持ち運び、収納、および保護に関する。
【背景技術】
【０００２】
携帯電話、ＭＰ３プレーヤ、ポケット・コンピュータ、およびその他の携帯用電子機器の普及は著しく、今日ではこのような装置を一つも携帯していない人に出会うのが珍しいほど広く使用されている。前掲の装置を含む多くの携帯用電子機器は、少なくとも音を発するものであるため、多くの場合、個人的に音を聞くことができるヘッドホンを装備している。ヘッドホンに接続されたケーブルまたはコードに加えて、多くの場合は他のケーブルまたはコードも携帯用電子機器と共に使用される。これらのヘッドホンおよび他のコードは縺れたり壊れたりし易いため、一般に管理が難しい。従って、携帯用電子機器を安全かつ便利に収納および携帯できると同時に、それらに使用されるあらゆるコードを管理することができるような機構に対する要求がある。
【発明の開示】
【０００３】
本発明は、添付図面と共に以下の詳細な説明を読むことにより、一層よく理解されるであろう。
【０００４】
実施例を単純化および明瞭化するために、図面は構造の一般的な方法を示し、また、周知の機能および技術の記述および詳細については、不必要に本発明を不明瞭にしないよう省略される。さらに、図中の要素は、必ずしも同一寸法で描かれない。例えば、図中のいくつかの要素の寸法は、本発明の実施例について良好な理解を得るために、他の要素に比べて誇張される場合がある。異なる図中の同一の参照番号は、同一の要素を表示する。
【０００５】
本明細書および請求項において、用語「第１」「第２」「第３」「第４」およびこれらと同様の用語が、必要に応じて類似する要素間の識別のために使用される場合があるが、いずれも特別に連続する順序または時間的順序を説明するためのものではない。したがって、かかる用語は適切な状況の下で置き換えることが可能であり、ここに記述された本発明の実施例は、例えばここに図示され、または記述された以外の順序でも動作可能であると理解される。さらに、用語「含む」「包含する」「有する」およびそれらのあらゆる変化形は、いずれも非排他的に包含することを意図しており、したがって、列挙された要素を含むプロセス、方法、物品、または装置等は、必ずしもそれらの要素に限定されるものではなく、そのようなプロセス、方法、物品または装置について明白に列挙されていない、または固有でない他の要素を含んでもよい。
【０００６】
本明細書および請求項において、用語「左」、「右」、「正面」、「背面」、「上」「下」、「上側」「下側」およびこれらと同様の用語が必要に応じて用いられるが、必ずしも永久的な相対的位置について説明することを目的とするものではない。したがって、かかる用語は適切な状況下では置き換えることが可能であり、ここに記述された本発明の実施例は、例えばここに図示され、または記述された以外の方向にも動作可能であると理解される。ここで使用される用語「結合された」は、電気的、機械的、または他の方法により直接的または間接的に接続されていると定義される。
【０００７】
本発明の一実施例において、携帯用電子機器に使用するための装着機構は、第１表面および第２表面を有するケースを含み、第１表面および第２表面は、その間に携帯用電子機器を収容可能なスペースを画定する。装着機構は、ケースの第２表面に装着されたクリップをさらに含む。クリップは、第２表面に隣接する第１部材、第２表面から離間し、かつ、第２表面の方へ伸びる第２部材、第２表面から離間し、かつ、第２表面の方へ伸びる第３部材を含む。第１部材は、ケースとクリップとの間に第１ポケットを形成し、また、第２部材は、ケースとクリップとの間に第２ポケットを形成する。
【０００８】
図１は、本発明の実施例に従った携帯用電子機器１０１（その一部のみが示される）に使用するための装着機構１００の斜視図である。図２は、本発明の実施例に従った装着機構１００の側面図であるが、明瞭化のためにいくつかの細部は省略される。例えば、図２には、ケースをクリップに装着する役割を果たす装着機構１００の構成要素が図示されていない。しかしながら、それらの構成要素は図１に示されており、以下で説明する。
【０００９】
携帯用電子機器１０１は、例えば、ＭＰ３プレーヤ、携帯電話、ページャ、ワイヤレス携帯装置、ポケットＰＣのような携帯用コンピューティング装置等である。背景技術の項目で上述したように、これらの携帯用電子機器の多くを使用する際には、ヘッドホン・コードのようなコードが必要であり、あるいは、これによって機能が増強される。コードは、多種多様の携帯用電子機器への使用に適しているが、以下でより詳細に記述するように、装着機構１００はかかるコードを管理することができるので、ヘッドホンまたは他のコードを有する携帯用電子機器への使用には特に適している。
【００１０】
図１および図２で示されるように、装着機構１００は、ケース１１０およびクリップ１２０を含む。ケース１１０は、革等の柔軟な材料、またはプラスチック等の硬質材料で作成される。ケース１１０は、表面１１１および表面２１１を含む。表面１１１および表面２１１は、それらの間にスペース１０５を画定する。スペース１０５は、携帯用電子機器１０１を収容することができる。クリップ１２０は表面１１１に装着され、表面１１１に隣接する本体２２１、表面１１１から離間し、かつ表面１１１の方へ伸びる伸張部２２２、および、表面１１１から離間し、かつ表面１１１の方へ伸びる伸張部２２３を含む。伸張部２２２は、表面１１１の方へ伸びることによって、ケース１１０とクリップ１２０との間にポケット２３１を形成する。同様に、伸張部２２３は、ケース１１０とクリップ１２０との間にポケット２３２を形成する。ポケット２３１，２３２は、ヘッドホン・コード等（図１または図２に示されない）がクリップ１２０に巻きつけられるときに、ヘッドホン・コード等の一部を収容するのに適している。
【００１１】
図２は、機構１００がリラックスしている状態、例えば、コードがクリップ１２０に巻きつけられているときに、ケース１１０およびクリップ１２０の両方あるいは一方が、曲がったり変形したりしていない状態を示す。この状態において、図示された実施例では、伸張部２２２はポイント２２６で表面１１１に接触し、また、伸張部２２３は、ポイント２２７で表面１１１に接触し、それによって、ポケット２３１，２３２内でコード（図２では示されない）を維持する。
【００１２】
クリップ１２０は多様な形状にすることが可能であり、図１および図２で示される形状は一例にすぎない。本形状は、セクション２７１、セクション１７２、および、セクション２７１およびセクション１７２を接続するセクション２７３を含む本体２２１を示す。セクション２７１は表面１１１に隣接している。セクション２７１は、セグメント２８１およびセグメント２８２を含む。セクション２７１，１７２，２７３を分離する境界は、セグメント２８１，２８２を分離する境界と同様に、多少任意であり、それらの正確な位置を特定する必要はない。実際、少なくとも一実施例において、クリップ１２０は、ここで記述されるようなセクションまたはセグメントの間を分離しない単一の連続的な部材として形成されるので、境界は仮想である。一実施例として、クリップ１２０を形成するために、射出成形プロセスが使用されてもよい。他の実施例として、クリップ１２０は、アクリロニトリル・ブタジエン・スチレン（ＡＢＳ）または同様の材料で形成され、材料はある程度その柔軟性によって選択される。
【００１３】
セグメント２８１は、ほぼ直線かつ平坦であり、表面１１１と同一平面に取り付けることができ、また、セグメント２８２は、セグメント２８１からセクション１７２の方へ伸びる。一実施例において、セグメント２８２はセクション１７２に接触するのに十分な長さであり、一方、セクション１７２は、セグメント２８２から引き離せるほど柔軟である。この形状によって、クリップ１２０をベルト、バックパックのストラップ等にクリップ留めすることが可能になる。すなわち、上記のようにセクション１７２とセグメント２８２とを分離し、それによって形成されたギャップにベルト等を通し、その後、セクション１７２およびセグメント２８２をリリースするとそれらが互いに近づくように動き、互いに密着するように接触または配置されることによって、ベルト等に対する強固な把持が生成される。
【００１４】
もちろん、上述したように、クリップ１２０は、前記以外の多種多様な形状にすることができる。そのような代替実施例の１つとして、図２に示された曲線を鋭角に変更することもでき、その場合はクリップ１２０が四角い外観になる。
【００１５】
ケース１１０は、表面１１１に装着され、かつ、クリップ１２０のセクション２７１とセクション１７２との間を通るパッチ１３０をさらに含む。一実施例において、パッチ１３０はケース１１０の表面１１１に縫い付けられる。本実施例または他の実施例において、スペーサ１３１がパッチ１３０と表面１１１との間に置かれ、パッチ１３０、スペーサ１３１、および表面１１１を貫通するようにステッチすることにより、パッチ１３０がケース１１０に縫い付けられる。スペーサ１３１は、多種多様のサイズ、材料、および形状にすることが可能であるが、特定の実施例では、例えば厚さ約１．５ミリメートルのボール紙で作成される。必要であれば、スペーサ１３１は、ケース１１０または装着機構１００の他の構成要素の色とマッチするように着色される。
【００１６】
前述した実施例に類似する実施例では、パッチ１３０がクリップ１２０のセクション２７１とセクション１７２との間に置かれ、そして、クリップ１２０は、パッチ１３０およびケース１１０の表面１１１を貫通するリベット（図示せず）を用いてケース１１０に装着される。図示されない実施例では、クリップ１２０は、接着剤を使用してケース１１０に装着される。その図示されない実施例の一例では、粘着性物質がセグメント２８１に塗布され、その後セグメント２８１がケース１１０の表面１１１に接着される。当業者間で周知である他の装着技術が、ケース１１０にクリップ１２０を取り付けるために使用されてもよい。
【００１７】
セクション１７２は内側周囲１８０を含み、さらに内側周囲１８０は、セクション１７２内の開口１８２を画定する部分１８１を含み、さらに、セクション１７２内の開口１８４を画定する部分１８３を含む。図のように、開口１８２は開口１８４と連絡しており、また、開口１８４は開口１８２より狭い。上述の構成要素を有する内側周囲１８０は、取付部材（以下で説明する）と共に機能し、これによって、装着機構１００をコンピュータ・モニタ、壁等の表面に取り付けることができる。
【００１８】
図３は、本発明の実施例に従った、装着機構１００の一部を形成する取付部材３００の斜視図である。図３で示されるように、取付部材３００は、バッキング部材３１０、およびバッキング部材３１０から伸張する突出３２０を含む。バッキング部材３１０は表面３１１を有する。一実施例において、表面３１１は自己接着性を有する表面である。他の実施例では、表面３１１は、取付アームまたは他の取付装置に永久的または非永久的に装着される。図のように、バッキング部材３１０はほぼ平坦であり、そのために、上述したような表面または場所、または、ここには明示的に述べていない他の適切な表面または場所に装着することができる。
【００１９】
図１および図３を参照して、クリップ１２０の開口１８２は突出３２０を収容することができる。図の実施例において、取付部材３００は、突出３２０から伸張するロック部材３２１をさらに含み、開口１８４はロック部材３２１を収容することができ、その結果、ロック部材３２１が開口１８４内に位置するとき、クリップ１２０が突出３２０に対して回転するのを防止する。さらに図の実施例に関して、ロック部材３２１は、開口１８２に突出３２０を挿入するのと同一動作によって開口１８４に挿入されるので、ロック部材３２１が開口１８４に入らない限り、突出３２０も開口１８２に入らない。かかる構成によって、図の実施例における安定性は、ロック部材３２１がこのように使用されない装着機構１００の他の実施例における安定性よりも増大する。開口１８２とロック部材３２１との間の嵌合の強度は、より確実に嵌合するために摩擦を提供することによって調整することができる。同様に、突出３２０の一部とセクション１７２の一部との間の嵌合についても、これらの要素間をより確実に嵌合するために調整可能である。
【００２０】
特定の実施例において、取付部材３００は、建物の壁、自動車のダッシュボード、コンピュータのモニタ、衣服、鞄、その他ケース１１０を取り付けたい表面または場所等の適切な表面または位置に表面３１１を装着することによって使用される。一実施例において、取付部材３００は、衣服、バッグ等に縫い付けられるか、またはその他の方法で装着される。表面３１１が自己接着性を有する場合の実施例では、取付部材３００を接着位置へ持ってくるまで非接着性の裏当てが表面３１１上に貼られていてもよく、装着位置に持ってきたときに非粘着性の裏当てが取り除かれて取付部材３００が装着される。かかる装着に続き、突出３２０を開口１８２内に挿入することによってクリップ１２０が取付部材３００上に装着される。これによって、ケース１１０、およびそこに収容される携帯用電子機器１０１は、取付部材３００の適切な位置に便利に保持される。ロック部材３２１にクリップ１２０の開口１８４を押し付けると、一層の取付安定性を得ることができる。ケース１１０は、開口１８４からロック部材３２１を取り除き、さらに開口１８２から突出３２０を取り除くことによって、取付部材３００から取り除かれる。上記のように適切な表面に最初に装着された取付部材３００は、その後、ある実施例では、その場所に永久に固定され、また他の実施例では、適切な表面へ取り外し可能に装着できるので、ケース１１０を取り除いた後に取付部材３００自体を適切な表面から取り除き、他の場所に再び装着することができる。
【００２１】
１つ以上の図示しない実施例では、取付部材３００または同様の部材は、取付アームまたは他の取付装置と協働することによって、さらに取付可能性が増大する。図示しない特定の実施例では、取付部材３００は、車両のフロントガラス等への取り付けに適した取付アームに装着される。取付アームは、その一方端をフロントガラスに装着することができ、他方端を取付部材３００に取り付けることができる。別の図示しない特定の実施例では、取付部材３００または同様の部材は、例えば自動車のカップ・ホルダ、デスクトップ等の他の環境に適合する取付装置に装着される。一般に、取付部材３００は、任意の適切な取付システムを用いて装着機構１００を統合する手段として使用することができるので、ケース１１０は、かかる取付システムを使用して取り付けられる。クリップ１２０と取付部材３００との嵌合については、図６および図７で示される。
【００２２】
図４は、本発明の実施例に従った装着機構１００の背面図である。図４で示されるように、ケース１１０の表面２１１は、のぞき窓(viewing window)４１０を含む。ある実施例において、のぞき窓４１０は透明プラスチックのような透明材料で覆われる。他の実施例では、のぞき窓４１０は開放されており、いかなる材料によっても覆われていない。最初の実施例の利点は、前記の材料によって、湿気、ゴミ、傷、および他の物質、および／または潜在的に携帯用電子機器１０１に破損を生じさせるものから電子機器が保護されることである。後の実施例の利点は、携帯用電子機器１０１の全てのボタンや他のコントロールに対し、より容易にアクセスできることである。
【００２３】
図５は、本発明の実施例に従って、その上に収納されたコード５１０を示す装着機構１００の正面図である。図５で示すように、コード５１０はヘッドホン・コードであるが、上述したように、装着機構１００はさらに他のタイプのコードに対しても十分に機能する。図のように、コード５１０はクリップ１２０の周囲に巻きつけられ、コード５１０の一部はポケット２３１内に、また、コード５１０の他の一部はポケット２３２内にある。コード５１０の部分５１１は、ポケット２３１，２３２の外部に残され、クリップ１２０から自由にぶら下がっているように示される。コード５１０の部分５１１は容易にわきへ動かすことができるので、それによって開口１８２または１８４へのアクセスが妨げられることはない。コード５１０がクリップ１２０上に巻きつけられている場合であっても、ケース１１０を取付部材３００（図３参照）上に容易に装着することができる。コード５１０の部分５１２は、携帯用電子機器１０１（図１参照）に接続できるようにポケット２３１，２３２の外部に残される。
【００２４】
図６は、本発明の実施例に従って、それに装着する取付部材３００を示す装着機構１００の正面図である。図７は、本発明の実施例に従った図６の７−７線に沿った断面図である。取付部材３００およびクリップ１２０に関する他の詳細については、図１〜図３に関して上述した。
【００２５】
図７で示すように、取付部材３００はバッキング部材３１０内に溝７１０を有する。上述のように、取付部材３００がアイテムに縫い付けられるような実施例では、溝７１０は縫製プロセスで差し込まれる針目を受け入れる。図の実施例では、取付部材３００はさらに空洞７２０を含む。空洞７２０は、バッキング部材３１０の一部が芯抜きされる製造工程中に作成され、取付部材３００に使用される材料の量を最小限にするとともに、取付部材３００の外観を良くする。取付部材３００は、さらに窪み７３０を含む。窪み７３０の１つの機能は、取付部材３００の外観に影響を及ぼすことである。窪み７３０の他の機能は、取付部材３００の固定機能としての役割である。後者の機能を果たすために、窪み７３０は、取付部材３００に装着されるクリップ１２０または他のアイテムに取り付けられた突起（図示せず）の動きを受け取って止める。その後、窪み７３０および突起は確実な固定機能として作用し、装着機構１００の安定性を改善する。
【００２６】
図８は、携帯用電子機器に使用ための装着機構を製造する方法８００を示すフローチャートである。方法８００のステップ８１０は、第１表面および第２表面を含むケースを提供するステップであり、ここで、第１表面および第２表面は、その間に携帯用電子機器を収容可能なスペースを画定する。一例として、ケース、第１表面、第２表面、およびスペースは、それぞれ、ケース１１０、表面１１１、表面２１１、およびスペース１０５と同様である。ケース１１０、表面１１１、およびスペース１０５は図１で示され、また、表面２１１は図２で示された。他の例として、携帯用電子機器は、図１で示された携帯用電子機器１０１と同様である。
【００２７】
方法８００のステップ８２０は、本体、ならびに、ケースの第２表面の方へ伸びる第１伸張部および第２伸張部を含むクリップを装着するステップであり、その結果、第１伸張部は本体から第２表面の方へ伸び、それによってケースと柔軟なクリップとの間に第１ポケットを形成し、また、第２伸張部は本体から第２表面の方へ伸び、それによってケースと柔軟なクリップとの間に第２ポケットを形成する。一例として、クリップ、本体、第１伸張部、および第２伸張部は、それぞれ、図１で示されたクリップ１２０、および、図２で示された本体２２１、伸張部２２２、および伸張部２２３と同様である。他の例として、第２表面、本体、第１ポケット、および第２ポケットは、それぞれ、図１で示された表面１１１、および、図２で示された本体２２１、ポケット２３１、およびポケット２３２と同様である。
【００２８】
一実施例では、ステップ８２０は、ケースにクリップを縫い付けるステップを含む。同様または他の実施例において、ステップ８２０は以下のステップを含む。すなわち、パッチおよびスペーサを提供するステップ、パッチとケースとの間にクリップの一部を配置するステップ、ケースとパッチの一部との間にスペーサを配置するステップ、ならびに、パッチ、スペーサ、およびケースの第２表面を貫通するステッチによってパッチをケースに縫い付けるステップを含む。必要に応じて、スペーサは、パッチおよび／またはケースと同じ色に着色されてもよい。異なる実施例では、ステップ８２０は、接着剤を使用してクリップをケースに接着するステップ、あるいは、リベット等を使用してクリップをケースに装着するステップを含む。
【００２９】
本発明が特定の実施例に関して記述されたが、当業者は、本発明の精神または範囲から逸脱することなく、多様な変更が可能であることを理解するであろう。そのような変更の様々な例が、前述した説明において挙げられた。従って、本発明の実施例の開示は、本発明の範囲の例示であることを意図するものであり、制限することを意図するものではない。本発明の範囲は、添付の請求項によって要求される事項によってのみ制限されることを意図している。例えば、当業者には、ここに述べられた装着機構は多種多様の実施例によって実施することが可能であり、これらの実施例のいくつかに関する前述の説明は、必ずしも全ての可能な実施例を完全に記述したものでないことは容易に明らかであろう。発明の詳細な説明および図面は、少なくとも本発明の１つの好適な実施例を開示するものであり、また、本発明の他の実施例を開示するものである。
【００３０】
特定の請求項でクレームされたすべての要素は、その特定の請求項でクレームされる発明にとって必須である。従って、１つ以上のクレームされた要素の置換は、修理ではなく再生産を構成する。さらに、利点、長所、および問題の解決策が特定の実施例に関して記述された。しかしながら、これらの利点、長所、問題の解決策、ならびに、これらの利点、長所、または解決策をもたらし、かつ明白にするようなあらゆる要素は、請求項のいくつかまたは全てにおける重大または必須、あるいは本質的な機能または要素の全てであると解釈されるべきではない。
【００３１】
さらに、ここで開示された実施例および制限は、その実施例および／または制限が、（１）明白に請求項でクレームされていない場合、および／または（２）均等論の下では、請求項において明白な要素および／または制限と潜在的に均等物である場合には、公用理論に基づいて公有に帰するものではない。
【図面の簡単な説明】
【００３２】
【図１】本発明の実施例に従った、携帯用電子機器に使用するための装着機構の斜視図である。
【図２】本発明の実施例に従った、図１の装着機構の側面図である。
【図３】本発明の実施例に従った、図１の装着機構の一部を形成する取付部材の斜視図である。
【図４】本発明の実施例に従った、図１の装着機構の背面図である。
【図５】本発明の実施例に従った、その上に収納されたコードを有する図１の装着機構の正面図である。
【図６】それに装着された図３の取付部材を示す図１の装着機構の正面図である。
【図７】図６の７−７線に沿った断面図である。
【図８】携帯用電子機器に使用するための装着機構を製造する方法を示すフローチャートである。
【符号の説明】
【００３３】
１００  装着機構
１０１  携帯用電子機器
１０５  スペース
１１０  ケース
１１１，２１１  表面
１２０  クリップ
１３０  パッチ
１３１  スペーサ
１７２，２７１，２７３  セクション
２２１  本体
２２２，２２３  伸張部
２３１，２３２  ポケット
２８１，２８２  セグメント
３００  取付部材
３１０  バッキング部材
３２０  突出
３２１  ロック部材
【図１】
2006341083.tif 000003
【図２】
2006341083.tif 000004
【図３】
2006341083.tif 000005
【図４】
2006341083.tif 000006
【図５】
2006341083.tif 000007
【図６】
2006341083.tif 000008
【図７】
2006341083.tif 000009
【図８】
2006341083.tif 000010
【外国語明細書】
2006341083000001.pdf
2006341083000002.pdf
2006341083000003.pdf
2006341083000004.pdf